(57)【特許請求の範囲】
【請求項１】
寝具を載置する第１の載置枠の一端側に第１の支脚部を設けた第１のベッド枠体、寝具を載置する第２の載置枠の一端側に第２の支脚部を設ける第２のベッド枠体、及び第１の載置枠と第２の載置枠との向き合う他端を、該第１，第２の載置枠が展開される展開状態と、第１，２の支脚部が近づき逆Ｖ字状の垂直状態との間で折り畳み展開可能に継ぎかつ中間支脚部を有する継ぎ部材からなるベッド基体を具えるとともに、前記第１の載置枠、又は第２の載置枠に、第１の載置枠の巾方向中央、および第２の載置枠の巾方向中央を連続して貫き、第１の載置枠の一端側と第２の載置枠の一端側との間でのびる仮想線であるベッド中心線Ｘと同じ方向にのびる補強材を配し、かつこの補強材に、前記ベッド中心線Ｘの方向に対して直角方向を向く枢支軸によって枢支されるとともに前記中間支脚部から前記一端側に離れて滑車を設け、しかも前記中間支脚部に取付けられかつ前記滑車に案内されるひも状体と、弾性材とからなる引張部材を、前記第１又は第２の載置枠の前記一端側に取付けた引起こし手段を具えることを特徴とする折畳みベッド。
【請求項２】
前記引起こし手段は、第１、第２の載置枠にともに取り付けられることを特徴とする請求項１記載の折畳みベッド。
【請求項３】
前記ベッド基体は、前記展開状態で、前記第１の載置枠と第１の支脚部と、若しくは前記第２の載置枠と第２の支脚部との少なくとも一方、又は第１の載置枠と第２の載置枠との少なくとも一方と前記中間支脚部とを、孔状の位置合わせ部に係止金具を挿通することにより回動不可に固定し、第１、第２の載置枠を水平に展開された状態で保持させうる浮上がり防止手段を具えることを特徴とする請求項１又は２記載の折畳みベッド。
【請求項４】
前記第１、第２の支脚部の少なくとも一方と、その一方側の第１，第２の載置枠と、前記中間支脚部とともに平行クランク機構を形成する連結ロッドを、前記前記第１、第２の支脚部の前記少なくとも一方と、前記中間支脚部との間で連結したことを特徴とする請求項１〜３のいずれかに記載の折畳みベッド。
【発明の詳細な説明】
【０００１】
【発明の属する技術分野】
本発明は、中間支脚部に一端を取り付けられかつ載置枠に設けた滑車に案内されるひも状体と、弾性材とからなる引張部材を具えることにより、円滑に折畳み可能とした折畳みベッドに関する。
【０００２】
【従来の技術】
例えば図１４に示すように、逆Ｖ字状に、例えば布団、その他の寝具ｓを敷いたまま折畳みし移動可能とする折畳みベッドが知られている。この折畳みベッドは、図１３に例示するように、一方、他方の寝具（マット）の半体ａ１，ａ２をそれぞれ載置しかつ各一端側に支脚部ｂ１，ｂ２を設けた載置枠を有する第１，２のベッド枠体ｄ１，ｄ２の他端側を、中間支脚部ｅを具備する継ぎ部材ｆにより連結したベッド基体ｇを具える。
【０００３】
なお図示例では、前記第１のベッド枠体ｄ１の支脚部ｂ１は載置枠に固着され、第２のベッド枠体ｄ２の支脚部ｂ２は第２の載置枠に傾動可能に枢着される。また各支脚部ｂ１，ｂ２は車輪ｋを具えた移動脚であり、しかも支脚部ｂ２は移動方向前後に車輪ｋ１，ｋ２を有することにより、各支脚部ｂ１，ｂ２を近づける方向に折り畳むことによって、図１４のように折畳みベッドは寝具ｓとともに逆Ｖ字状に折り畳まれる。
【０００４】
他方、折畳みベッドは重量体であるために、ベッド及び寝具の重量により常にベッドを水平に展開する力が作用しているために、折畳みのために人力による持上げに際に大きな力を必要とし、かつ展開状態から逆Ｖ字状の垂直状態までかかる持ち上げ作業を連続して行わなければならず、老人などの弱力者には折畳み、乃至展開作業に困難を伴う。
【０００５】
その補助のために、従来、図１３に略示するように、水平展開状態において中間で荷重を支持する支脚となる前記中間支脚部ｅの下端と、第１，２の載置枠の前記一端側との間に、引きバネなどの引張部材ｗをそれぞれ介装してベッド枠体ｄ１，ｄ２に引起こしモーメントを生じさせていた。
【０００６】
【発明が解決しようとする課題】
しかしながら、このような従来構造の前記引張部材ｗでは、例えば図１１（ａ）に示すように、前記引きバネによるベッド枠体ｄ１，ｄ２を引き起こすモーメント（以下引起こしモーメントＭ１という）は、引張部材ｗのバネ力Ｔを仮に一定としたとき、前記載置枠の水平な展開状態からの起きあがりの角度をα、引張部材ｗの水平状態からの傾斜角をβ（下向きを正）とし、かつ載置枠の長さをＡ、中間支脚部ｅが垂直状態を保持されるとするとき、概略的に、Ｍ１＝ＴＡsin （α＋β）（αを折畳み角度という）として求めうる。なお引張部材が取り付く中間支脚部ｅは前記のように垂直に保持されるとし、かつ載置枠の折畳み角度αは水平状態を０度、垂直状態を９０度としている。
【０００７】
この式から引き起こしモーメントＭ１を前記折畳み角度αを０〜９０゜の角度で求めると、図１２の破線Ｍ１となり、折畳み角度αが０゜（水平状態）から略３５度程度までの間は、前記引起こしモーメントＭ１はある程度の値が保持されるが、３５度付近をこえ、折畳みの垂直状態に近くなるに伴い、引張部材ｗが載置枠と実質的に平行となることによって、引起こしモーメントＭ１は徐々に減少して（α＋β）が実質的に０゜（α＝９０゜、β＝−９０゜）となる折畳み状態では引起こしモーメントＭ１は０に近づく。
【０００８】
勿論、前記のようにベッドには重力が作用し、このベッド折畳みのための負のモーメントは水平な展開状態からの引き上げ初期が最大となり、しかもバネ力Ｔは一定ではなく、折畳みとともにバネ長さが減少してバネ力が低減する結果、かかる従来のバネ構造では手による負担をある程度改善しうるとはいえ、特に折畳み角度αが大になるに従い、載置枠の手による引き寄せが必要となった。
【０００９】
さらにバネによる引起こしモーメントＭ１が小となる折畳み状態での保持のためには、図１４に示すごとく、第１の支脚部ｂ１の車輪ｋを、折畳み状態において、垂直な第２のベッド枠体ｄ２の載置枠をこえて後方に位置させるなどにより、第１、第２のベッド枠体ｄ１，ｄ２の自由開きを防止する工夫も必要となった。なおこのとき、展開のために車輪ｋ２が第２のベッド枠体ｄ２の載置枠下方を通過するための持ち上げ力が必要となる。
【００１０】
さらに従来の折畳みベッドにおいては、引張部材のバネ力などを有効に利用するために、引張部材ｗを中間支脚部ｅの下部に取付けている。これにより、特にベッド側面から、引張部材ｗが視認されやすく美観的に劣る他、清掃に際しても引張部材ｗが障害物となりやすいなどの解決すべき課題があった。
【００１１】
本発明は、載置枠に取付ける滑車を用いてバネ力の作用点を、ベッド枠体の枢着位置に近づけることを基本として、ベッドの折畳みを円滑にしかつ見栄えを向上しうる折畳みベッドの提供を目的としている。
【００１２】
【課題を解決するための手段】
本発明のうち請求項１記載の発明は、寝具を載置する第１の載置枠の一端側に第１の支脚部を設けた第１のベッド枠体、寝具を載置する第２の載置枠の一端側に第２の支脚部を設ける第２のベッド枠体、及び第１の載置枠と第２の載置枠との向き合う他端を、該第１，第２の載置枠が展開される展開状態と、第１，２の支脚部が近づき逆Ｖ字状の垂直状態との間で折り畳み展開可能に継ぎかつ中間支脚部を有する継ぎ部材からなるベッド基体を具えるとともに、前記第１の載置枠、又は第２の載置枠に、第１の載置枠の巾方向中央、および第２の載置枠の巾方向中央を連続して貫き、第１の載置枠の一端側と第２の載置枠の一端側との間でのびる仮想線であるベッド中心線Ｘと同じ方向にのびる補強材を配し、かつこの補強材に、前記ベッド中心線Ｘの方向に対して直角方向を向く枢支軸によって枢支されるとともに前記中間支脚部から前記一端側に離れて滑車を設け、しかも前記中間支脚部に取付けられかつ前記滑車に案内されるひも状体と、弾性材とからなる引張部材を、前記第１又は第２の載置枠の前記一端側に取付けた引起こし手段を具えることを特徴とする折畳みベッドである。
【００１３】
請求項２に係る発明は、前記引起こし手段が、第１、第２の載置枠にともに取り付けられることを特徴とし、かつ請求項３に係る発明は、前記ベッド基体が、前記展開状態で、前記第１の載置枠と第１の支脚部と、若しくは前記第２の載置枠と第２の支脚部との少なくとも一方、又は第１の載置枠と第２の載置枠との少なくとも一方と前記中間支脚部とを、孔状の位置合わせ部に係止金具を挿通することにより回動不可に固定し、第１、第２の載置枠を水平に展開された状態で保持させうる浮上がり防止手段を具えることを特徴とし、かつ請求項４に係る発明は、前記第１、第２の支脚部の少なくとも一方と、その一方側の第１，第２の載置枠と、前記中間支脚部とともに平行クランク機構を形成する連結ロッドを、前記前記第１、第２の支脚部の前記少なくとも一方と、前記中間支脚部との間で連結したことを特徴とする。
【００１４】
【発明の実施の形態】
以下本発明の実施の一形態を図面に基づき説明する。
図１〜３において、本発明の折畳みベッド１は、第１の載置枠３Ａの一端に第１の支脚部４Ａを設けた第１のベッド枠体５Ａ、第２の載置枠３Ｂの一端に第２の支脚部４Ｂを設ける第２のベッド枠体５Ｂ、及び第１の載置枠３Ａと第２の載置枠３Ｂとの向き合う他端を折り畳み可能に継ぎかつ中間支脚部７を有する継ぎ部材８からなるベッド基体９を具えるとともに、前記中間支脚部７に取付けられかつ滑車１０に案内される引張部材１４を有する引起こし手段１１を具備している（なお第１，第２と区別するときにはＡ，Ｂを数字末尾に付し、区別する必要のないときは数字末尾のＡ，Ｂを省略する）。
【００１５】
前記第１，２の載置枠３Ａ，３Ｂは、パイプ材からなりかつベッド中心線Ｘと同じ方向にのびる下開放の溝型材からなる補強材２１ａを配した略矩形の周囲枠２１にネット材２２を張設することにより、マットの半分である各寝具２Ａ，２Ｂを載置できる。前記ベッド中心線Ｘとは、図１、図２に示されるように、第１の載置枠３Ａの巾方向中央、および第２の載置枠３Ｂの巾方向中央を連続して貫き、第１の載置枠３Ａの一端Ｓ１側と第２の載置枠３Ｂの一端Ｓ１側との間でのびる仮想線をいう。また前記周囲枠２１の側枠部２１ｂの前記各一端Ｓ１側（支脚部４が取り付けられる側であって、ときに各後側と称する）の近傍に、それぞれ前記第１，２の支脚部４Ａ，４Ｂを枢着している（なお、ベッド中心線Ｘの両側方向を左右ということがある）。なお周囲枠２１の各後端の後枠部２１ｃには宮状枠２１ｄを立ち上げている。
【００１６】
この第１，２の支脚部４Ａ，４Ｂは、垂直な支柱部２４ａとその下端で一端Ｓ１側にのびかつ先端にキャスタを設けた延長部２４ｂとからなる左右のＬ字枠を継ぎ材２３で連結し、かつ継ぎ材２３に他端Ｓ２側（前側）に小長さで折れ曲りかつキャスタを具えた補助材２５を設けた支柱基体を具える。
【００１７】
また前記各支柱部２４ａの上端には、図４に示すように、該支柱部２４ａの外側面で取り付く上取付部２６と、内側面で取り付く下取付部２７とを具える取付金具２８が固着される。上取付部２６、下取付部２７は三角状をなして前記一端Ｓ１側、即ち後側に突出しており、上取付部２６の突出端で、前記各左右の側枠部２１ｂの内面をピンｐを用いて傾動可能に枢着している。
【００１８】
また前記第１，２の載置枠３Ａ，３Ｂの前記他端Ｓ２側には図５に示すように、前記側枠部２１ｂを延長し、該載置枠３の他端Ｓ２側を通る前枠部２１ｅよりも突出する突出部２１ｆを形成している。またこの各載置枠４の突出部２１ｆ，２１ｆは、間隙を隔てて向き合うとともに、前記継ぎ部材８は、本形態では、前記向き合う突出部２１ｆ，２１ｆを枢着する両側（左右）の連結金具２９、２９と、その間を継ぐ結合軸３０と、該結合軸３０から垂下する前記中間支脚部７とを有する。
【００１９】
又、この中間支脚部７は、図１に示すように、両側の支柱部３２，３２間を、中央で上に折れ曲がる隆起部３３を有する脚台枠部３４により連結している。なお前記隆起部３３は、床面から中間支脚部７の高さの１／３〜２／３倍程度の高さに位置する。
【００２０】
図５に示すごとく、前記連結金具２９は底片２９ａ両側の側片２９ｂ，２９ｂの前後端間で前記突出部２１ｆ，２１ｆを枢着し、かつ底片２９ａには前後端を切欠き、該突出部２１ｆ，２１ｆを垂直に下に折り曲げるための切欠き部２９ａ１を前後端に形成している。なお連結金具２９はカバー３５によって覆うことにより見栄えと安全性とを向上する。
【００２１】
さらに本形態では、中間支脚部７の上方（床面から該中間支脚部７の高さの１／２〜３／４程度の高さ）に前後にのび前記第１，２の支脚部４Ａ，４Ｂの下取付け部２７（図４）の突端の透孔３７ａと同高さに透孔３７ｂを有する取付け金具３６を設けている。なお、透孔３７ａ，３７ｂは、それぞれベッド展開状態において、載置枠３と支脚部４との枢支点、及び載置枠３と継ぎ部材８との枢支点のそれぞれ垂直面（前記中心線Ｘと直交する）内の直下に位置し、しかも透孔３７ａ，３７ｂ間を連結ロッド１９により連結することにより、第１，２の載置枠３Ａ，３Ｂにおいて、平行クランク機構を形成している。これにより、図８，９に示すように、中間支脚部７、支脚部４の向きを一定、例えば垂直に保持しつつ折畳みできる。
【００２２】
なお、図１０に示すように、第１，又は第２の載置枠３Ａ，３Ｂの一方のみを平行クランク機構とすることができ、他方は例えば図１３の第２の載置枠ｄ２，第２の支脚部ｂ２の構造とすることができる。
【００２３】
前記引起こし手段１１は、図１〜３に略示するように、本形態では第１、第２のベッド枠体５Ａ，５Ｂにともに設けられている。この引き起こし手段１１は、図６（ａ）に示すように、前記載置枠３の前記補強材２１ａで固定され、前記他端Ｓ２から離れて固定されるとともに、前記ベッド中心線Ｘの方向に対して直角方向を向く枢支軸を有する軸受け金具の前記枢支軸によって枢支される前記滑車１０を具える。なお滑車１０は載置枠３の直下、即ち、ベッドの側面から視認され難い高さ位置に設けられ、かつ前記引起こし手段１１は、前記中間支脚部７の前記隆起部３３に一端が固定されかつ前記滑車１０上面に巻掛されるひも状体１２と、このひも状体１２の他端に結合されるコイルバネ（ゴム体など他の弾性材も利用できる）などの弾性材１３とからなる引張部材１４を有し、この引張部材１４の端部は載置枠３の適所で固定される。
【００２４】
なお本形態では、ひも状体１２は、図７に示すように、前記隆起部３３を貫通してその上下でナット止めされるアイボルト状の取付け金具１５で固定ボルトにより固定される。なお種々の方法により取り付けでき、かつ引張部材１４が第１，２の載置枠３Ａ，３Ｂに設けるときは、ルーズとすることもできる。又ひも状体１２を、前記取付け金具１５の孔を通して１周巻きすることによって固定することもできる。
【００２５】
なお滑車１０は、前記ひも状体１２の一端を、前記隆起部３３に取付けることにより該ひも状体１２の垂直に対してなす角度θが、展開状態において、ベッドを側面視して３０〜６０゜、好ましくは４０〜５５゜程度、本形態では約４５゜となるように位置決めしている。またひも状体１２は前記滑車１０を後方に過ぎた位置で前記弾性材１３が結合され、前記ひも状体１２及び弾性材１３は図６（ｂ）に示すように補強材２１ａの溝部を通ることにより、視野から隠し、見栄えを高めうる。
【００２６】
このような引起こし手段１１は、例えば図１１（ｂ）に示すように、α、βを図１１（ａ）の場合と同様に設定し、かつ載置枠３の前端と滑車１０との間の距離をＢとしたとき、引起こしモーメントＭ２はＭ２＝ＴＢsin （α＋β）であり、折畳み角度αが０゜（水平状態）から徐々に増大し、ひも状体１２と載置枠３と  が実質的に直角となるαが９０度となる折畳み状態では、βは０、即ちsin （α＋β）が１に近づき、結果的に、図１２（定性的に示している。）の実線で示すごとく、折畳み角度が増すに従い引起こしモーメントＭ２が増加することとなる。
【００２７】
なおこのような引張部材１４は、第１、第２の載置枠３Ａ，３Ｂの双方にともに設ける場合の他、一方にのみ設けることもでき、また図１０のように、第１、第２の載置枠３Ａ，３Ｂの一方のみが平行クランク機構をなす場合には、その機構を有する側に配置する。
【００２８】
このように滑車１０を用いる引起こし手段１１においては、作動初期は勿論、折畳み状態においても比較的大きい引起こしモーメントＭ２を発揮できる。従って、折畳み状態を確実に保持しうるとともに、前記弾性材１３の設定を自由化して折畳みの間の人力を低減して円滑な折畳み作業をなしうることとなる。また選択により展開、折畳みの間のバネ伸び量を低下させることも可能となり、バネコストの低減にも役立つ。さらに、弾性材１３長さの低減などにより、初期張力の大きなバネの採用も可能となり、ベッド展開状態において、実質的にすでに折畳み力を付与させておくことができる。
【００２９】
このためには、本形態においては、図４に示すように、第１の載置枠３Ａと第１の支脚部４Ａとの枢支部近傍に、第１、第２の載置枠３Ａ，３Ｂが水平に展開された状態で保持する浮上がり防止手段１６を設けている。
【００３０】
この浮上がり防止手段１６は、前記周囲枠２１の側枠部２１ｂと前記取付け金具２８の上取付部２６とを貫通する挿通部４２、及び前記支柱部２４ａに穿設され展開状態において該挿通部４２に同芯となる係止部４３からなる孔状の位置合わせ部４４、並びに展開状態において該位置合わせ部４４を通りうる係止金具４５を有し、該係止金具４５を挿通することにより、第１、第２の載置枠３Ａ，３Ｂを水平に展開された状態で保持させうる。なお係止金具４５は吊下げ具４６を用いて適宜吊下される。
【００３１】
なお、浮上がり防止手段１６は、載置枠３と支脚部４とを展開状態で拘束するものであれば種々なものが採用でき、かつ前記第１の載置枠３Ａと第１の支脚部４Ａの他、前記第２の載置枠３Ｂと第２の支脚部４Ｂ、又は第１の載置枠３Ａと第２の載置枠３Ｂとの少なくとも一方と前記中間支脚部７とを回動不可に固定するものなど多種のものを選択できる。このように本発明は種々変形しうる。
【００３２】
【発明の効果】
上述したように、請求項１記載の発明では、滑車を載置枠に設けて引張部材により引張する引起こし手段を具えるため、ベッド折畳みのための引起こしモーメントが折り畳み状態で０になるのを防止して、折畳み作業を容易とし取り扱い性を向上できる。
【００３３】
また請求項２に係る発明においては、前記引起こし手段を前記第１、第２の載置枠に設けているため、引起こしモーメントの設定を容易とし、さらに折畳み作業性の改善に役立つ。
【００３４】
請求項３に係る発明において、展開状態での浮き上がりを防止する浮上がり防止手段を具えるため、引張部材による引起こしモーメントを大とすることができ、折畳み作業に際して人力を低減しうることとなる。
【００３５】
請求項４の発明において、載置枠を平行クランク機構として構成することにより、第１、第２の支脚部、中間支脚部の向きを一定としつつ折畳みでき、折畳みに際しての載置枠の移動を円滑にしうる。
【図面の簡単な説明】
【図１】本発明の１実施の形態を例示する斜視図である。
【図２】その平面図である。
【図３】その側面図である。
【図４】載置枠と支脚部との取付け状態、及び浮き上がり防止手段を例示する斜視図である。
【図５】載置枠と中間支脚部との枢着状態を例示する斜視図である。
【図６】（ａ）は滑車の取付け状態を例示する断面図、（ｂ）は補強材を通る弾性材を例示する断面図である。
【図７】ひも状体の取付け状態を例示する断面図である。
【図８】折畳みの途中の状態を例示する側面図である。
【図９】折畳み状態を例示する側面図である。
【図１０】他の形態を例示する線図である。
【図１１】（ａ）は従来の折畳みベッドの引張部材を例示する線図、（ｂ）は本発明の引張部材を例示する線図である。
【図１２】図１１（ａ）、（ｂ）の引張部材による引起こしモーメントを例示する線図である。
【図１３】従来の折畳みベッドを例示する斜視図である。
【図１４】その折畳み状態を例示する側面図である。
【符号の説明】
２Ａ，２Ｂ  寝具
３  載置枠
３Ａ  第１の載置枠
３Ｂ  第２の載置枠
４  支脚部
４Ａ  第１の支脚部
４Ｂ    第２の支脚部
５Ａ    第１のベッド枠体
５Ｂ  第２のベッド枠体
７  中間支脚部
８  継ぎ部材
９  ベッド基体
１０  滑車
１１  引起こし手段
１２  ひも状体
１３  弾性材
１４  引張部材
１６  浮上がり防止手段
１９  連結ロッド
【図１】
0003814214.tif 000002
【図２】
0003814214.tif 000003
【図３】
0003814214.tif 000004
【図４】
0003814214.tif 000005
【図５】
0003814214.tif 000006
【図６】
0003814214.tif 000007
【図７】
0003814214.tif 000008
【図８】
0003814214.tif 000009
【図９】
0003814214.tif 000010
【図１０】
0003814214.tif 000011
【図１１】
0003814214.tif 000012
【図１２】
0003814214.tif 000013
【図１３】
0003814214.tif 000014
【図１４】
0003814214.tif 000015